(57)【要約】  本発明は、ホットスポットの中の無線ＬＡＮ（ＷＬＡＮ）の音声接続とデータ接続に有利であり、無線ＷＡＮ（ＷＷＡＮ）とＷＬＡＮとの間のシームレスハンドオーバが可能となり、逆のハンドオーバも可能となる。したがって、エンドユーザはコストの節約が実現でき、無線オペレータはＷＷＡＮ資源の節約が実現できる。本発明の一実施例によれば、ＷＷＡＮインターフェースとＷＬＡＮインターフェースとを有する移動端末は、ＷＷＡＮを介して、被呼側の移動端末とＷＷＡＮコールを確立する。ＷＬＡＮが存在している場合、移動端末は、ＷＬＡＮを介して被呼側の移動端末とＷＬＡＮコールを開始するために、ショートメッセージサービス（ＳＭＳ）又は電子透かし技術を使用して、ネットワークアドレスと一緒にハンドオーバ要求を被呼側の移動端末に送る。被呼側の移動端末とのＷＬＡＮコールが確立した後、移動端末はＷＷＡＮコールを解放する。
2008506291.tif 000002
【特許請求の範囲】
【請求項１】
少なくとも２つの無線インターフェースを有する発呼側の移動端末によって実行される方法であって、
前記少なくとも２つの無線インターフェースのうちの一つの無線インターフェースは、第１の無線通信ネットワークに用いられ、
前記少なくとも２つの無線インターフェースのうちの別の一つの無線インターフェースは、第２の無線通信ネットワークに用いられ、
前記方法は、
（ａ）  前記第１の無線通信ネットワークと前記第２の無線通信ネットワークとの存在を検出するステップ、
（ｂ）  通信セッションを確立するために、前記発呼側の移動端末と被呼側の移動端末との間に、前記第１の無線通信ネットワークを介して、第１の接続を確立するステップ、
（ｃ）前記第２の無線通信ネットワークが存在している場合、前記第２の無線通信ネットワークを介して前記被呼側の移動端末との第２の接続を開始するために、ハンドオーバ要求と前記第１の無線通信ネットワークの中の前記発呼側の移動端末のネットワークアドレスとを含む特別の情報を、前記被呼側の移動端末に送るステップ、
（ｄ）前記被呼側の移動端末から応答を受け取るステップ、および
（ｅ）前記応答が前記ハンドオーバ要求の受諾を示す場合、前記通信セッションを続けるために、前記第２の無線通信ネットワークを介して前記被呼側の移動端末との前記第２の接続を確立するステップ、
を有する方法。
【請求項２】
前記ステップ（ｅ）の後に、前記第１の接続を解放するステップを更に有する、請求項１に記載の方法。
【請求項３】
前記第２の接続の間、前記発呼側の移動端末が前記第２の無線通信ネットワークから離れる方向に移動しているかどうかを検出するステップ、および
前記発呼側の移動端末が前記第２の無線通信ネットワークから離れる方向に移動している場合、前記第１の無線通信ネットワークを介して前記被呼側の移動端末との第３の接続を確立するステップ、
を更に有する請求項１に記載の方法。
【請求項４】
前記発呼側の移動端末のユーザプロファイルに基づいて、通信に好ましい無線インターフェースを検出するステップ、を更に有しており、
前記好ましい無線インターフェースが前記第２の無線通信ネットワークであり、且つ前記第２の無線通信ネットワークが存在している場合、前記ステップ（ｃ）が実行される、請求項１に記載の方法。
【請求項５】
受信移動端末として、前記第２の無線通信ネットワークを介して別の移動端末との第４の接続を受諾するステップ、
前記第４の接続の間に、前記受信移動端末が前記第２の無線通信ネットワークから離れる方向に移動しているかどうかを検出するステップ、および
前記受信移動端末が前記第２の無線通信ネットワークから離れる方向に移動している場合、前記第１の無線通信ネットワークを介して他の移動端末との第５の接続を開始するために、ハンドオーバ要求を前記他の移動端末に送るステップ、
を更に有する請求項１に記載の方法。
【請求項６】
前記ステップ（ｃ）において、前記特別の情報は、電子透かし技術を使用して前記被呼側の移動端末に送られる、請求項１に記載の方法。
【請求項７】
前記特別の情報は、前記発呼側の移動端末と前記被呼側の移動端末との間の音声チャネルを介して、前記被呼側の移動端末に送られる、請求項６に記載の方法。
【請求項８】
前記特別の情報は、入力音声の発音されていない期間に挿入される、請求項７の方法。
【請求項９】
前記ステップ（ｃ）は、
入力音声を受け取り、前記入力音声の中の発音されていない期間を検出するステップ、
発音されていない期間を検出した場合、制御信号を出力するステップ、
前記制御信号を受け取った場合、前記特別の情報を変調アナログ信号に変調するステップ、および
前記変調アナログ信号を前記入力音声の発音されていない期間に多重化するステップ、
を有する請求項８に記載の方法。
【請求項１０】
前記ステップ（ｃ）は、
前記特別の情報を受け取り、前記特別の情報をＤＴＭＦ型のアナログ信号形式で出力するステップ、および
ＤＴＭＦ型のアナログ信号形式の前記特別の情報を入力音声と多重化し、結合されたアナログ信号を出力するステップ、
を有する請求項７に記載の方法。
【請求項１１】
前記ステップ（ｃ）は、
前記特別の情報を受け取り、前記特別の情報をＤＴＭＦ型のデジタル信号形式で出力するステップ、および
ＤＴＭＦ型のデジタル信号形式の前記特別の情報をデジタル入力音声と多重化し、結合されたアナログ信号を出力するステップ、
を有する請求項７に記載の方法。
【請求項１２】
少なくとも２つの無線インターフェースを有する被呼側の移動端末によって実行される方法であって、
前記少なくとも２つの無線インターフェースのうちの一つの無線インターフェースは、第１の無線通信ネットワークに用いられ、
前記少なくとも２つの無線インターフェースのうちの別の一つの無線インターフェースは、第２の無線通信ネットワークに用いられ、
前記方法は、
（ａ）  前記第１の無線通信ネットワークを介して発呼側の移動端末との第１の接続を受諾するステップ、
（ｂ）  前記第１の接続の間、前記発呼側の移動端末からハンドオーバ要求とネットワークアドレスとを含む特別の情報を受け取った場合、前記第２の無線通信ネットワークを介して前記被呼側の移動端末との第２の接続を開始するために、前記第２の無線通信ネットワークが存在しているかどうかを検出するステップ、
（ｃ）  前記第２の無線通信ネットワークが存在している場合、前記ハンドオーバ要求の受諾の応答を前記発呼側の移動端末に送るステップ、
（ｄ）  前記発呼側の移動端末との前記第２の接続を受諾するステップ、
を有する方法。
【請求項１３】
前記ステップ（ｃ）の前に、前記被呼側の移動端末のユーザプロファイルに基づく通信に好ましい無線インターフェースが前記第２の無線通信ネットワークに用いられるものであるかどうかを検証するステップを更に有し、
前記被呼側の移動端末の前記好ましい無線インターフェースが前記第２の無線通信ネットワークに用いられるものである場合、前記ステップ（ｃ）が実行される、請求項１２に記載の方法。
【請求項１４】
前記ステップ（ｄ）の後に、前記第１の接続を解放するステップを更に有する、請求項１２に記載の方法。
【請求項１５】
前記ステップ（ｂ）において、前記被呼側の移動端末が受け取った前記特別の情報には、電子透かし技術が使用されている、請求項１２に記載の方法。
【請求項１６】
前記特別の情報は、前記発呼側の移動端末と前記被呼側の移動端末との間の音声チャネルを介して、前記被呼側の移動端末によって受け取られる、請求項１５に記載の方法。
【請求項１７】
前記被呼側の移動端末が受け取る前記特別の情報は、ＤＴＭＦ型のアナログ信号形式であり、前記特別の情報は音声に結合される、請求項１５に記載の方法。
【請求項１８】
前記ステップ（ｂ）は、
前記音声又は前記結合されたアナログ信号を受け取り、前記音声のみを受け取った場合は前記音声を出力し、前記結合されたアナログ信号を受け取った場合は前記結合されたアナログ信号からＤＴＭＦ型のアナログ信号を分離して前記ＤＴＭＦ型のアナログ信号と前記結合されたアナログ信号とを出力するステップ、
前記ＤＴＭＦ型のアナログ信号から前記特別の情報を復調し、前記特別の情報を出力するステップ、および
前記結合されたアナログ信号から前記ＤＴＭＦ型のアナログ信号ををフィルタ処理し、前記音声を出力するステップ、
を有する請求項１７に記載の方法。
【請求項１９】
前記被呼側の移動端末が受け取る前記特別の情報はＤＴＭＦに類似のデジタル信号形式であり、前記特別の情報はデジタル化された音声に結合される、請求項１５に記載の方法。
【請求項２０】
前記ステップ（ｂ）は、
前記デジタル化された音声又は前記結合されたデジタル信号を受け取り、前記デジタル化された音声のみを受け取った場合は前記デジタル化された音声を出力し、前記結合されたデジタル信号を受け取った場合は前記結合されたデジタル信号からＤＴＭＦ型のデジタル信号を多重分離して前記ＤＴＭＦ型のデジタル信号と前記結合されたデジタル信号とを出力するステップ、
前記ＤＴＭＦ型のデジタル信号を前記特別の情報に変換し、前記特別の情報を出力するステップ、および
前記結合されたデジタル信号から前記ＤＴＭＦ型のデジタル信号ををフィルタ処理し、前記デジタル化された音声を出力するステップ、
を有する請求項１９に記載の方法。
【請求項２１】
前記第１の無線通信ネットワークは無線ＷＡＮであり、前記第２の無線通信ネットワークは無線ＬＡＮである、請求項１２〜２０のうちのいずれか一項に記載の方法。
【請求項２２】
第１の無線通信ネットワークおよび第２の無線通信ネットワークにおいて通信を行う移動端末のための回路であって、
前記回路は、
前記第１の無線通信ネットワークの存在を検出する手段、
前記第２の無線通信ネットワークの存在を検出する手段、
発呼側の移動端末としての前記移動端末と被呼側の移動端末との間に、前記第１の無線通信ネットワークを介して、第１の接続を確立する手段、
前記第２の無線通信ネットワークが存在している場合、前記第２の無線通信ネットワークを介して前記被呼側の移動端末との第２の接続を開始するために、ハンドオーバ要求と前記第１の無線通信ネットワークの中の前記発呼側の移動端末のネットワークアドレスとを含む特別の情報を、前記被呼側の移動端末に送る手段、
前記被呼側の移動端末から応答を受け取る手段、および
前記第２の無線通信ネットワークを介して前記被呼側の移動端末との前記第２の接続を確立する手段、
を有し、
前記第２の接続を確立する手段は、前記応答が前記ハンドオーバ要求の受諾を示す場合、前記第２の接続を確立する、回路。
【請求項２３】
少なくとも２つの無線インターフェースと請求項２２に記載の回路とを有する移動端末。
【請求項２４】
第１の無線通信ネットワークおよび第２の無線通信ネットワークにおいて通信を行う移動端末のための回路であって、
前記回路は、
被呼側の端末として、前記第１の無線通信ネットワークを介して発呼側の移動端末との第１の接続を受諾する手段、
前記第１の接続の間、前記発呼側の移動端末からハンドオーバ要求を受け取った場合、前記第２の無線通信ネットワークを介して前記被呼側の移動端末との第２の接続を開始するために、前記第２の無線通信ネットワークが存在しているかどうかを検出する手段、
前記第２の無線通信ネットワークが存在している場合、前記ハンドオーバ要求の受諾の応答を前記発呼側の移動端末に送る手段、および
前記発呼側の移動端末との前記第２の接続を受諾する手段、
を有する回路。
【請求項２５】
少なくとも２つの無線インターフェースと請求項２４に記載の回路とを有する移動端末。
【請求項２６】
第１の無線通信ネットワークと第２の無線通信ネットワークとの間での発呼側の移動端末のハンドオーバのためのコンピュータプログラムであって、
前記コンピュータプログラムは、
前記第１の無線通信ネットワークと前記第２の無線通信ネットワークとの存在を検出するコンピュータで読取可能なプログラムコード、
通信セッションを確立するために、前記発呼側の移動端末としての移動端末と被呼側の移動端末との間に、前記第１の無線通信ネットワークを介して、第１の接続を確立するコンピュータで読取可能なプログラムコード、
前記第２の無線通信ネットワークが存在している場合、前記第２の無線通信ネットワークを介して前記被呼側の移動端末との第２の接続を開始するために、ハンドオーバ要求と前記第１の無線通信ネットワークの中の前記発呼側の移動端末のネットワークアドレスとを含む特別の情報を、前記被呼側の移動端末に送るコンピュータで読取可能なプログラムコード、
前記被呼側の移動端末から応答を受け取るコンピュータで読取可能なプログラムコード、および
前記応答が前記ハンドオーバ要求の受諾を示す場合、前記通信セッションを続けるために、前記第２の無線通信ネットワークを介して前記被呼側の移動端末との前記第２の接続を確立するコンピュータで読取可能なプログラムコード、
を有するコンピュータプログラム。
【請求項２７】
請求項２６に記載のコンピュータプログラムを実行するコンピュータで読取可能なプログラム媒体。
【請求項２８】
請求項２７に記載のコンピュータで読取可能なプログラム媒体を有するコンピュータ装置。
【請求項２９】
第１の無線通信ネットワークと第２の無線通信ネットワークとの間での被呼側の移動端末のハンドオーバのためのコンピュータプログラムであって、
前記コンピュータプログラムは、
前記第１の無線通信ネットワークを介して発呼側の移動端末との第１の接続を受諾するコンピュータで読取可能なプログラムコード、
前記第１の接続の間、前記発呼側の移動端末からハンドオーバ要求とネットワークアドレスとを含む特別の情報を受け取った場合、前記第２の無線通信ネットワークを介して前記被呼側の移動端末との第２の接続を開始するために、前記第２の無線通信ネットワークが存在しているかどうかを検出するコンピュータで読取可能なプログラムコード、
前記第２の無線通信ネットワークが存在している場合、前記ハンドオーバ要求の受諾の応答を前記発呼側の移動端末に送るコンピュータで読取可能なプログラムコード、
前記発呼側の移動端末との前記第２の接続を受諾するコンピュータで読取可能なプログラムコード、
を有するコンピュータプログラム。
【請求項３０】
請求項２９に記載のコンピュータプログラムを実行するコンピュータで読取可能なプログラム媒体。
【請求項３１】
請求項３０に記載のコンピュータで読取可能なプログラム媒体を有するコンピュータ装置。
【発明の詳細な説明】
【技術分野】
【０００１】
本発明は、第１の無線通信ネットワークと第２の無線通信ネットワークとの間でシームレスにローミングを行う方法およびその回路に関する。
【背景技術】
【０００２】
図１は、携帯電話などの移動端末が使用されている典型的な複数のサービスエリアを示している。この複数のサービスエリアでは、ＷＷＡＮサービスエリア（例えば、ＧＳＭ、ＧＰＲＳ、ＣＤＭＡ、３Ｇ）は、（図１に示すように）ＷＬＡＮサービスエリアに一部が重なっていてもよく、重なっていなくてもよい。ＷＷＡＮサービスエリアとＷＬＡＮサービスエリアとの間に重なる部分が存在している場合、ＷＷＡＮサービスとＷＬＡＮサービスとの両方が利用可能である。一部が重なり合っているエリアは、ホットスポットとも呼ばれている。ホットスポットには、空港、ホテル、オフィスビル、および住居環境が含まれている。
【０００３】
ホットスポット（例えば、空港およびホテル）では、ＷＷＡＮを介して音声通話を行い低速データサービスを使用したり、ＷＬＡＮを介してアクセスポイント（ＡＰ）を通じて高速データサービスを使用するために、人々は、通常、移動端末を使用する。同じサービスプロバイダによって管理されている同じ又は異なるホットスポットに存在している２つの移動端末が通信しようとしている状況では、音声通話を行うためにＷＷＡＮサービスを使用する必要がある。これでは、低コストの別の通信ネットワーク（即ち、ＷＬＡＮ）が両者に利用可能であるとしても、費用対効果の優れたものにはならない。
【０００４】
公開番号2002/0085516A1の米国特許出願は、通話しながら又はデータ通信を行いながら無線ＬＡＮ（ＷＬＡＮ）と無線ＷＡＮ（ＷＷＡＮ）との間で自動的にＳＶＲ（seamless vertical roaming）を行うシステムおよび方法を開示している。しかし、ＵＳ2002/0085516A1はネットワークインフラストラクチャにしか焦点を当てておらず、斯かるローミングを達成するための端末に関する構造および方法は提供されていない。
【発明の開示】
【発明が解決しようとする課題】
【０００５】
したがって、本発明の目的は、第１の無線通信ネットワークと第２の無線通信ネットワークとの両方のサービスが利用可能である領域において、第１の無線通信ネットワークと第２の無線通信ネットワークとの間のシームレスなローミングをコスト的に効率よく行う方法および回路を提供することにある。
【課題を解決するための手段】
【０００６】
この目的を達成するために、本発明の第１の態様は、少なくとも２つの無線インターフェースを有する発呼側の移動端末によって実行される方法を提供する。上記少なくとも２つの無線インターフェースのうちの一つの無線インターフェースは、第１の無線通信ネットワークに用いられ、上記少なくとも２つの無線インターフェースのうちの別の一つの無線インターフェースは、第２の無線通信ネットワークに用いられる。上記方法は、上記第１の無線通信ネットワークと上記第２の無線通信ネットワークとの存在を検出し、上記第２の無線通信ネットワークが存在している場合、上記第２の無線通信ネットワークを介して第２の接続を開始するために、ハンドオーバ要求を、上記被呼側の移動端末に送る。被呼側の移動端末からの応答が上記ハンドオーバ要求の受諾を示す場合、上記第２の無線通信ネットワークを介して上記被呼側の移動端末との上記第２の接続を確立するステップが実行される。第２の無線通信ネットワークへのローミングによって、請求費の安価なシステムが得られ、この方法は、エンドユーザが通信コストを節約でき、第１の無線通信ネットワークのオペレータがネットワーク資源を節約することができるという利点を有している。
【０００７】
本発明による一実施例では、発呼側の移動端末が実行する方法は、上記発呼側の移動端末が上記第２の無線通信ネットワークから離れる方向に移動している場合、通信を維持するために、上記第１の無線通信ネットワークを介して上記被呼側の移動端末との接続を再確立してもよい。斯かる方法は、途切れずに続く通信が保証され、シームレスのハンドオーバが実現されるという利点を有している。
【０００８】
本発明による別の実施例では、発呼側の移動端末によって実行される方法は、上記発呼側の移動端末のユーザプロファイルに基づいた好ましい無線インターフェースによってハンドオーバ要求を送るステップを実行してもよい。斯かる方法は、発呼側の移動端末のユーザが自動的に又は手動でハンドオーバを行うように発呼側の移動端末を設定することができるので、ユーザはハンドオーバに対してより柔軟な選択肢を有しているという利点がある。
【０００９】
本発明による別の実施例では、発呼側の移動端末によって実行される方法は、音声チャネルを介して追加の情報をを送ってもよい。追加の情報は通常のチャネルを介して送られるので、斯かる方法は、追加のチャネル資源を必要としないという利点がある。
【００１０】
本発明による別の実施例では、発呼側の移動端末によって実行される方法は、特別の情報と入力音声とを送ってもよい。特別の情報は、通信中はいつでも、音声チャネルを介して送ることができるので、斯かる方法は、ユーザが話しをしているか話しをしていないかにかかわらず、特別の情報をすぐに送ることができるという利点がある。
本発明による別の実施例では、発呼側の移動端末によって実行される方法は、ＤＴＭＦ型の信号形式の上記特別の情報を入力音声と多重化し、結合された信号を出力してもよい。ＤＴＭＦは電子透かし技術の一種であるので、斯かる方法は、結合された信号において、ＤＴＭＦ型の信号形式の特別の情報を入力音声によって模倣することができないという利点がある。
【００１１】
本発明の第２の態様は、少なくとも２つの無線インターフェースを有する被呼側の移動端末によって実行される方法を提供する。上記少なくとも２つの無線インターフェースのうちの一つの無線インターフェースは、第１の無線通信ネットワークに用いられ、上記少なくとも２つの無線インターフェースのうちの別の一つの無線インターフェースは、第２の無線通信ネットワークに用いられる。上記方法は、上記発呼側の移動端末からハンドオーバ要求を含む特別の情報を受け取った場合、上記第２の無線通信ネットワークを介して第２の接続を開始するために、上記第２の無線通信ネットワークが存在しているかどうかを検出するステップ、上記第２の無線通信ネットワークが存在している場合、上記ハンドオーバ要求の受諾の応答を上記発呼側の移動端末に送るステップ、上記発呼側の移動端末との上記第２の接続を受諾するステップ、を有している。したがって、この方法も、安価な通信とネットワーク資源の節約を提供する。
【００１２】
本発明による別の実施例では、被呼側の移動端末が実行する方法は、上記被呼側の移動端末が上記第２の無線通信ネットワークから離れる方向に移動している場合、通信を維持するために、上記第１の無線通信ネットワークを介して上記被呼側の移動端末との接続を再確立してもよい。したがって、斯かる方法も、途切れずに続く通信が保証され、シームレスのハンドオーバが実現されるという利点を有している。
【００１３】
本発明による別の実施例では、被呼側の移動端末が実行する方法は、上記被呼側の移動端末の上記好ましい無線インターフェースによってハンドオーバ要求の受諾の応答を送るステップを実行してもよい。したがって、斯かる方法も、被呼側の移動端末のユーザはハンドオーバに対してより柔軟な選択肢を有しているという利点がある。
【００１４】
本発明による別の実施例では、被呼側の移動端末によって実行される方法は、結合された信号からＤＴＭＦ型の信号を多重分離するステップと、ＤＴＭＦ型の信号から特別の情報を復調するステップと、を有していてもよい。この特別の情報を元の特別の情報に復号することができ、したがって、斯かる方法は、音声チャネルにおいて、音声信号と一緒に特別の情報を受け取ることができるという利点を有している。
【００１５】
本発明の他の態様は、発呼側の移動端末によって実行される方法を実行する複数の手段を有する回路、被呼側の移動端末によって実行される方法を実行する複数の手段を有する回路、発呼側の移動端末のハンドオーバのためのコンピュータプログラム・プロダクト、および被呼側の移動端末のハンドオーバのためのコンピュータプログラム・プロダクトを提供する。
【００１６】
添付された図面とともに以下の記載および特許請求の範囲を参照することによって、本発明を完全に理解し、他の目的や他に実現できることが明らかとなる。
【００１７】
図面を通じて、同じ符号は、同様の特徴若しくは機能、又は対応する特徴若しくは機能を示している。
【発明を実施するための最良の形態】
【００１８】
図２は、本発明で使用されるデュアル無線インターフェース（ＷＷＡＮインターフェースとＷＬＡＮインターフェース）を有する移動端末１０の基本アーキテクチャを示す。ユーザが移動端末１０で通話をしようとする場合、プロファイル管理やサービスメディエーションなどを担当しているユーザエージェントが、先ず、ＷＷＡＮコールを行う。ＷＷＡＮコールを設定した後、ユーザエージェントは、ユーザプロファイルと利用可能な無線インターフェースとに基づいて、どの無線インターフェースを使用するかを決定する。ユーザプロファイルには、無線インタフェースの優先順位に関する情報や、接続している間のハンドオーバの許可の情報などが含まれる。例えば、ユーザがＷＬＡＮインタフェースを介した接続を好む場合、ユーザエージェントは、ＷＷＡＮによる通話を設定した後に、ＷＬＡＮを介して発呼者と被呼者とを接続しようとする。ＷＬＡＮコール（例えば、音声通話又はビデオ通話）の設定がうまくいった後、ユーザが直接的に介在することなく、ＷＷＡＮコールが解除される。
【００１９】
図３は、ＷＷＡＮとＷＬＡＮとの間をシームレスでローミングする本発明の一実施例による方法２０を示している。電話の加入者がホットスポットに入ると、この加入者の移動端末のユーザエージェントは利用可能な無線サービスを検出する。加入者が通話しようとする場合、発呼側の移動端末のユーザエージェントは、被呼側の移動端末のMSISDN（Mobile Station International ISDN Number）を使用して、ＷＷＡＮを介した通常の方法でコールを行う（ステップＳ２２およびＳ２６）。ＷＷＡＮコールが無事に設定された後、発呼側の移動端末のユーザエージェントは、発呼者のユーザプロファイルに基づいて、どの無線インタフェースを使用するかを決定する。ＷＬＡＮが好ましい場合であって、且つＷＬＡＮインタフェースが利用可能である場合、ユーザエージェントは、コールをＷＬＡＮに接続移行するために、特別な情報を被呼側の移動端末に送る（ステップＳ３２）。この特別な情報には、ハンドオーバ要求と、発呼側の移動端末のＩＰアドレスやプロファイルなどに関する情報と、が含まれる。この特別な情報は、ショートメッセージサービス（ＳＭＳ）又は電子透かし技術を使用して伝送される。電子透かし技術によって、後述するように、この特別な情報を音声の中に隠すことができる。
【００２０】
ハンドオーバ要求を受け取ると、被呼側の移動端末のユーザエージェントは、被呼者自身のユーザプロファイルと被呼側の移動端末の利用可能な無線インターフェースとに基づいて、このハンドオーバ要求を受諾するかどうかを決定する。被呼側の移動端末がコールをＷＬＡＮに接続移行することに同意する場合、被呼者のユーザエージェントは、ＳＭＳ又は電子透かし技術を使用して、同じような特別な情報を発呼側の移動端末に送る（ステップＳ３６）。この特別な情報には、ハンドオーバ受諾応答と、被呼側の移動端末のＩＰアドレスやユーザプロファイルなどに関する情報と、が含まれる。発呼側の移動端末は、発呼側の移動端末が受け取った被呼側の移動端末のＩＰアドレスを使用して、ＷＬＡＮを介したコール（例えば、音声通話又はビデオ通話）を開始する（ステップＳ４２およびＳ４６）。ＷＬＡＮコールが適切に設定された場合、ＷＷＡＮコールを解除することができる（ステップＳ５２およびＳ５６）。ＷＬＡＮコールが終了した後、ＷＬＡＮによる通話も解除される（ステップＳ６２およびＳ６６）。
【００２１】
上記の例では、ＷＬＡＮコールが有効である間、発呼者および被呼者のうちの一方の者がＷＬＡＮサービスエリアを離れる場合があり得る。斯かる場合には、当該一方の者の移動端末のユーザエージェントは、無線信号の変化を認識する。発呼者がサービスエリアを離れようとしている場合、発呼側の移動端末のユーザエージェントは被呼側の移動端末と新しいＷＷＡＮコールを開始しようとする。一方、被呼者がサービスエリアを離れようとしている場合、被呼側の移動端末のユーザエージェントはＷＬＡＮを介して発呼側の移動端末にハンドオーバ要求を送り、新しいＷＷＡＮコールを始める。この新しいＷＷＡＮコールは、被呼側の移動端末によって自動的に受諾される。新しいＷＷＡＮコールが無事に設定された後、ＷＬＡＮコールは、発呼者と被呼者との両者によって直ちに解除される。被呼者がサービスエリアを離れようとしている場合には、必要に応じて、被呼側の移動端末は、発呼側の移動端末との新しいＷＷＡＮコールを開始してもよい。
【００２２】
上記の例では、両方のユーザは、ＷＷＡＮからＷＬＡＮへのハンドオーバおよびＷＬＡＮからＷＷＡＮへのハンドオーバを意識せず、ユーザ間の会話は影響を受けない。また、発呼者および被呼者は、インターネットを介して接続されている２つのＷＬＡＮネットワーク（一方のＷＬＡＮネットワークには発呼者が存在しており、他方のＷＬＡＮネットワークには被呼者が存在している）を介して、互いに通信することができる。
【００２３】
本発明で使用された電子透かし技術について、以下に記載する。この技術を使用することによって、特別の情報（即ち、ハンドオーバ要求、ＩＰアドレス、ユーザプロファイルなど）は、音声とともに、一つのチャネル（例えば、２つの移動端末の間の音声チャネル）で交換される。このような交換は通常の音声会話には影響を与えない。その理由は、一般的には電話で会話している間、会話している時間の５０％は聞くことに使われており、会話している時間の１０％は、単語と単語との間の休止と、文章と文章との間の休止と、に使われているからである。したがって、既存のネットワーク基盤の修正をしなくても、特別の情報を交換するための十分な資源が存在している。移動端末のユーザエージェントは、特別の情報を、アナログ信号又はデジタル信号として加えてもよい。
【００２４】
図４は、発呼側の移動端末の音声チャネルにおいて特別の情報（即ち、ハンドオーバ要求、ＩＰアドレス、ユーザのプロファイルなど）を加える本発明の一実施例による回路５０を示す。回路５０は、静音制御回路５４と、変調回路５６と、時分割マルチプレクサ６２と、を有している。発呼側の移動端末のユーザエージェントは、特別の情報を、デジタルシーケンスの形で、アナログ信号に変調する変調回路５６に供給する。静音制御回路５４が入力音声の発音されていない期間を検出した場合、静音制御回路５４は変調回路５６に制御信号を送る。制御信号を受信すると、変調回路５６は特別の情報をアナログの形で時分割マルチプレクサ６２に出力する。マルチプレクサ６２は、音声入力と特別の情報とを多重化し、音声チャネルの被呼側の移動端末に伝送するために、結合された出力をＡＤＣに送る。
【００２５】
特別の情報を、音声帯域（０Ｈｚ〜４０００Ｈｚ）の中の幾つかの周波数パターンとして変調することができる。例えば、ＤＴＭＦ（Dual Tone Multi Frequency）技術を使用して１６個の数字（０〜９，Ａ〜Ｆ）を伝送することができる。或る一定期間（例えば、５ｍｓ）持続する周波数が、１個の符号を表す。一例として、１３３６Ｈｚの周波数と７７０Ｈｚの周波数とを結合したものは６を表し、１４７７Ｈｚの周波数と８５２Ｈｚの周波数とを結合したものは８を表している。電話の加入者が「６８」を伝送した場合、音声に加えられる周波数は、５秒間同時に持続する｜１３３６Ｈｚ＋７００Ｈｚ｜の周波数と、５秒間同時に持続する｜１４７７Ｈｚ＋８５２Ｈｚ｜の周波数である。
【００２６】
図５は、音声チャネルの被呼側の移動端末が受け取った特別の情報を復調する本発明の一実施例による回路７０を示す。周波数検出回路７０は、周波数検出回路７２と復調回路７６とを有している。周波数検出回路７２は、ＤＡコンバータ（ＤＡＣ）から、結合されたアナログ信号（音声と追加の情報との両方を含む）を受け取る。回路７２は、符号を表すために使用された周波数を識別し、識別した周波数を復調回路７６に出力する。復調回路７６は予め規定された周波数パターンを復号化して特別の情報を抽出する。例えば、周波数検出回路７２によって上記の周波数パターン｜１３３６Ｈｚ＋７００Ｈｚ｜および｜４７７Ｈｚ＋８５２Ｈｚ｜が識別され、復調回路７６に出力された場合、復調回路７６は、この周波数パターンを復号化し、「６８」のデジタルシーケンスを出力する。
【００２７】
復号化誤差を少なくするために、同一周波数パターンの最大持続時間が規定されている。例えば、５０ｍｓよりも長く同じ周波数が続くことは、許容されない。発呼側の移動端末が、５０ｍｓ（即ち、１０×５ｍｓ）を超える持続時間内に、同じ数字を１１個以上（１０個よりも多い）伝送する場合、１０番目の数字の後に、擾乱周波数パターン（例えば、｜１８８８Ｈｚ＋８８８Ｈｚ｜）が加えられる。被呼側の移動端末は、１０個の同一の数字の後ろに、擾乱周波数パターンを認識することができる。
例えば、発呼側の移動端末がデジタルシーケンス999,999,999,999を被呼側の移動端末に送る場合、このデジタルシーケンスは9,999,999,999,x99として送られる。ここで、ｘは擾乱周波数パターンを表す。被呼側の移動端末では、受け取ったデジタルシーケンス9,999,999,999,x99は、999,999,999,999に復元される。
【００２８】
図６は、発呼側の移動端末に存在する回路８０であって、特別の情報をデジタル信号として加える本発明の一実施例による回路８０をを示す。回路８０は、静音制御回路８２と電子透かし回路８３とを有している。静音制御回路８２は入力音声の発音されていない期間を検出する。発音されていない期間が検出されると、静音制御回路８２は制御信号を電子透かし回路８３に供給する。電子透かし回路８３は、ユーザエージェントから特別の情報（ＩＰアドレス、ユーザプロファイルなど）を受け取る。電子透かし回路８３は、制御信号を受け取ると、特別の情報を時分割マルチプレクサ８４に出力する。電子透かし回路８３は、ラッチ回路を用いて実現することができる。ＡＤＣ８６は、入力音声をデジタル信号に変換し、このデジタル信号を、特定の通信規格（例えば、ＧＳＭ）に準拠するように符号化する符号化回路８８に供給する。符号化回路８８からの出力と、電子透かし回路８３からの特別の情報は、マルチプレクサ８４によって時分割多重化され、この結合された出力がベースバンド処理のために供給される。このようにして、入力音声の発音されていない期間の中に特別な情報が挿入される。
【００２９】
図７は、被呼側の移動端末に存在する回路９０であって、デジタル信号として挿入された特別の情報を抽出するための本発明の一実施例による電子透かし検出回路９０を示している。電子透かし検出回路９０は、入力音声から予め規定された一組のデジタルシーケンス（以下に詳細に記載されている）を検出し、特別の情報を取得する。音声は電子透かし検出回路９０を通過することができ、音声は復号化回路９６に出力される。復号化回路９６は、特定の通信規格に従って音声を復号化する。ＤＡＣ９８は、復号化された音声をアナログ信号に変換し、アナログ信号を出力装置に供給する。
【００３０】
図６および図７では、特別の情報の開始点および終了点をマークするために、予め規定されたデジタルシーケンスが使用されている。例えば、特別の情報の開始および終了をマークするために、デジタルシーケンス1010101010101010を使用することができる。全ての特別の情報は、このようなデジタルシーケンスとデジタルシーケンスとの間に挟まれなければならない。特別な情報又は入力音声が開始シーケンス又は終了シーケンスと同じシーケンスパターンを含んでいる場合、このシーケンスパターンを変形しなければならない。例えば、特別の情報が1010101010101010を含んでいる場合、このシーケンスは、最後の２ビットの間に「１１」が挿入された101010101010101110に変化する。
【００３１】
加えて、人間の音声ではＤＴＭＦ信号を模倣することはできないので、電子透かし技術を利用して、発音されていない部分があるかどうかにかかわらず、特別の情報を音声に混合することができ、特別の情報を音声チャネルの中で交換することができる。
【００３２】
図８は、発呼側の移動端末に存在する回路１００であって、特別の情報をアナログ信号として加える本発明の別の実施例による回路１００を示す。この回路１００は、電子透かし変調回路１０４とマルチプレクサ１０２とを有している。発呼側の移動端末のユーザエージェントは、特別の情報を、デジタルシーケンスの形で電子透かし変調回路１０４に提供する。電子透かし変調回路１０４は、ＤＴＭＦ型のアナログ信号に変調する。電子透かし変調回路１０４は、特別の情報をＤＴＭＦ型のアナログ形式でマルチプレクサ１０２に出力する。ユーザが話しをしている場合、マルチプレクサ１０２は入力音声に特別の情報を多重化し、音声チャネルの被呼側の移動端末に伝送するために、結合された出力をＡＤＣに送る。ユーザが話しをしていない場合、マルチプレクサ１０２はＡＤＣに特別の情報のみを送る。
【００３３】
図９は、被呼側の移動端末に存在する回路１１０であって、アナログ信号として加えられた特別の情報を復調する本発明の別の実施例による回路１１０を示す。回路１１０は、信号検出回路１１２と、信号フィルタリング回路１１４と、電子透かし復調回路１１６と、を有している。信号検出回路１１２は、ＤＡＣから音声又は結合されたアナログ信号（音声とＤＴＭＦ型のアナログ形式の特別の情報との両方を含む）を受け取る。ＤＡＣからの信号が音声のみの場合、信号検出回路１１２は信号フィルタリング回路１１４の機能を無効にし、音声は変調されずに信号フィルタリング回路１１４を通過する。ＤＡＣからの信号が結合されたアナログ信号の場合、信号検出回路１１２は、結合されたアナログ信号から、ＤＴＭＦ型のアナログ信号を多重分離し、ＤＴＭＦ型のアナログ信号を電子透かし復調回路１１６に供給する。電子透かし復調回路１１６はＤＴＭＦ型のアナログ信号から特別の情報を復調し、この特別の情報をデジタル形式で出力する。同時に、信号検出回路１１２は、信号フィルタリング回路１１４を有効にし、結合されたアナログ信号を信号フィルタリング回路１１４に供給し、信号フィルタリング回路１１４は、結合されたアナログ信号からＤＴＭＦ型のアナログ信号を取り除き、音声信号を出力する。
【００３４】
図１０は、発呼側の移動端末に存在する回路１２０であって、特別の情報をデジタル信号として加える本発明の別の実施例による回路１２０を示す。この回路１２０は、ＡＤＣ１２４と、時分割マルチプレクサ１２２と、電子透かし変調回路１２６と、を有している。電子透かし変調回路１２６は、特別の情報を受け取り、この特別の情報をＤＴＭＦ型のデジタル信号の形で時分割マルチプレクサ１２２に出力する。ＡＤＣ１２４は入力音声をデジタル信号に変換する。ＡＤＣ１２４からの音声デジタル信号と、電子透かし変調回路１２６からのＤＴＭＦ型のデジタル信号は、マルチプレクサ１２２によって時分割多重化され、次の処理を実行するために使用される結合出力が提供される。ユーザが話しをしていない場合、マルチプレクサ１２２は特別の情報のみを出力する。
【００３５】
図１１は、被呼側の移動端末に存在する回路１３０であって、デジタル信号として挿入された特別の情報を抽出する本発明の別の実施例による回路１３０を示す。回路１３０は、デジタル信号検出回路１３２と、デジタル信号フィルタ回路１３４と、電子透かし復調回路１３６と、ＤＡＣ１３８と、を有している。デジタル信号検出回路１３２は音声デジタル信号又は結合されたデジタル信号（音声デジタル信号とＤＴＭＦ型のデジタル形式の特別の情報との両方を含む）を受け取る。音声デジタル信号しかない場合、デジタル信号検出回路１３２はデジタル信号フィルタ回路１３４の機能を無効にし、音声デジタル信号は修正されることなくデジタル信号フィルタ回路１３４を通過する。結合されたデジタル信号がある場合、デジタル信号検出回路１３２は、結合されたデジタル信号から、ＤＴＭＦ型のデジタル信号を多重分離し、ＤＴＭＦ型のデジタル信号を電子透かし復調回路１３６に供給する。電子透かし復調回路１３６は、ＤＴＭＦ型のデジタル信号から特別の情報を復号化し、この特別の情報をデジタル形式で出力する。同時に、デジタル信号検出回路１３２は、デジタル信号フィルタ回路１３４を有効にし、結合されたデジタル信号を信号フィルタ回路１３４に供給し、信号フィルタ回路１３４は、結合されたデジタル信号から、ＤＴＭＦ型のアナログ信号を除去し、音声デジタル信号を出力する。ＤＡＣ１３８は、音声デジタル信号をアナログ信号に変換し、この音声を次の装置に出力する。
【００３６】
上記の内容では、本発明は、ＷＷＡＮおよびＷＬＡＮに関して記載されている。しかし、本発明は、任意の２つの無線通信ネットワークの間のローミングに使用することができる。
【００３７】
本発明は、方法、通信装置、通信システム、および／又はコンピュータープログラムプロダクトとして実現することができる。したがって、本発明は、ハードウェアおよび／又はソフトウェア（ファームウェア、常駐型ソフトウェア、マイクロコード、など）で実現することができる。さらに、本発明は、命令実行システムで使用されるような又は命令実行システムに関係するようなコンピュータで使用可能又は読取可能なプログラムコードを有するコンピュータで使用可能又は読取可能な記録媒体のようなコンピュータプログラムプロダクトで実現することもできる。本明細書において、コンピュータで使用可能な媒体又はコンピュータで読取可能な媒体は、プログラム（命令実行のシステム、装置、又は設備によって使用されるプログラム、又は命令実行のシステム、装置、又は設備に関するプログラム）を含む、記憶する、通信する、伝送する、又は転送する媒体とすることができる。
【００３８】
本発明は特定の実施例に関して記載されているが、当業者には、上記の説明に基づいて、多くの代替例、修正例および変更例が明らかであることは明白である。したがって、本発明は、添付された特許請求の範囲の精神および範囲の中の斯かる全ての代替例、修正例、および変形例を含むる。
【図面の簡単な説明】
【００３９】
【図１】移動端末が使用されている典型的な複数のサービスエリアを示す図である。
【図２】デュアル無線インターフェースを有する移動端末の基本アーキテクチャを示す図である。
【図３】ＷＷＡＮとＷＬＡＮとの間でシームレスにローミングする方法を示す図である。
【図４】発呼側の移動端末に存在する回路であって、特別の情報をアナログ信号に加える本発明の一実施例による回路を示す図である。
【図５】被呼側の移動端末に存在する回路であって、アナログ信号として加えられた特別の情報を復調する本発明の一実施例による回路を示す図である。
【図６】発呼側の移動端末に存在する回路であって、特別の情報をデジタル信号として加える本発明の一実施例による回路をを示す図である。
【図７】被呼側の移動端末に存在する回路であって、デジタル信号として挿入された特別の情報を抽出するための本発明の一実施例による回路を示す図である。
【図８】発呼側の移動端末に存在する回路であって、特別の情報をアナログ信号として加える本発明の別の実施例による回路を示す図である。
【図９】被呼側の移動端末に存在する回路であって、アナログ信号として加えられた特別の情報を復調する本発明の別の実施例による回路を示す図である。
【図１０】発呼側の移動端末に存在する回路であって、特別の情報をデジタル信号として加える本発明の別の実施例による回路を示す図である。
【図１１】被呼側の移動端末に存在する回路であって、デジタル信号として挿入された特別の情報を抽出する本発明の別の実施例による回路を示す図である。
【図１】
2008506291.tif 000003
【図２】
2008506291.tif 000004
【図３】
2008506291.tif 000005
【図４】
2008506291.tif 000006
【図５】
2008506291.tif 000007
【図６】
2008506291.tif 000008
【図７】
2008506291.tif 000009
【図８】
2008506291.tif 000010
【図９】
2008506291.tif 000011
【図１０】
2008506291.tif 000012
【図１１】
2008506291.tif 000013
【国際調査報告】
2008506291.tif 000014
2008506291.tif 000015